(57)【要約】【課題】本発明はディスプレイ、特にパッシブマトリックス有機発光ダイオード（ＰＭＯＬＥＤ）ディスプレイ駆動方法を提供する。【解決手段】この駆動方法は、表示される走査線内の複数の画素用の予備グレーレベルを検出し、前記予備グレーレベルにより前記走査線のプリチャージ電圧を調整することを特徴とする。【選択図】図４
2007279658.tif 000002
【特許請求の範囲】
【請求項１】
ディスプレイ、特に複数の走査線を有するパッシブマトリックス有機発光ダイオードディスプレイの駆動方法であって、
表示される走査線内の複数の画素の予備グレーレベルを検出し、
前記予備グレーレベルにより前記走査線のプリチャージ電圧を調整することを特徴とするディスプレイ駆動方法。
【請求項２】
前記予備グレーレベルによるプリチャージ電圧の調整は、前記予備グレーレベルがゼロのとき、前記走査線内の画素の現駆動操作前にプリチャージを解除するか、または前記プリチャージ電圧をゼロに下げることを特徴とする請求項１に記載の駆動方法。
【請求項３】
さらに、前記走査線内の前記画素用の現グレーレベルを検出することを特徴する請求項１に記載の駆動方法。
【請求項４】
さらに、前記現グレーレベル及び前記予備グレーレベルにより前記走査線内の画素の放電電圧を調整することを特徴とする請求項３に記載の駆動方法。
【請求項５】
前記現グレーレベル及び前記予備グレーレベルによる前記放電電圧の調整は、前記現グレーレベル及び前記予備グレーレベルがともに所定の高度より高い場合、前記放電電圧を所定の高度に上げることを特徴とする請求項４に記載の駆動方法。
【請求項６】
前記所定の高度が前記ディスプレイの画素素子の閾値電圧より低いことを特徴とする請求項５に記載の駆動方法。
【請求項７】
ディスプレイ、特に複数の走査線を有するパッシブマトリックス有機発光ダイオードディスプレイの駆動方法であって、
表示される走査線内の複数の画素の予備グレーレベルを検出し、
前記予備グレーレベルにより前記走査線内の画素の放電電圧を調整することを特徴とするディスプレイ駆動法。
【請求項８】
さらに、前記走査線内の現グレーレベルを検出することを特徴する請求項７に記載の駆動方法。
【請求項９】
さらに、前記現グレーレベルにより前記放電電圧を調整することを特徴とする請求項８に記載の駆動方法。
【請求項１０】
前記予備グレーレベル及び前記現グレーレベルによる前記放電電圧の調整は、前記現グレーレベル及び前記予備グレーレベルがともに所定の高度より高い場合、前記放電電圧を所定の高度に上げることを特徴とする請求項９に記載の駆動方法。
【請求項１１】
前記所定の高度が前記ディスプレイの画素素子の閾値電圧より低いことを特徴とする請求項１０に記載の駆動方法。
【発明の詳細な説明】
【技術分野】
【０００１】
本発明は駆動方法、より詳細にはパッシブマトリックス式有機発光ダイオードディスプレイの駆動方法に関する。
【背景技術】
【０００２】
駆動方法の観点から、有機発光ダイオード（ＯＬＥＤ）ディスプレイをパッシブマトリックス式有機発光ダイオード(ＰＭＯＬＥＤ)ディスプレイ及び活性マトリックス式有機発光ダイオード（ＡＭＯＬＥＤ）ディスプレイに分類することができる。ＰＭＯＬＥＤディスプレイの利点は薄膜トランジスターの駆動を必要とせず、より安価に製造できるシンプルな構造にある。なお、その主要な不利点は高解像への応用に適していないことである。さらに、ＰＭＯＬＥＤディスプレイを大型パネルへの応用に用いた場合、消費電力を増大し、寿命が短くかつ表示性が悪くなるという問題もあった。
【０００３】
従来の駆動方法おいて消費電力を削減するため、ＰＭＯＬＥＤディスプレイを駆動する前にプリチャージし、現駆動後に放電していた。現駆動の前後に用いる電流プリチャージ電圧及び放電電圧は通常、一定である。プリチャージ電圧はＰＭＯＬＥＤディスプレイのＯＬＥＤ素子の閾値よりも低く、放電電圧は通常、ゼロ電圧（0Ｖ）である。
【発明の開示】
【発明が解決しようとする課題】
【０００４】
従来の駆動方法において、画素グレーレベルがゼロに表示されていても、ＯＬＥＤ素子が現駆動前のプリチャージ電圧にオーバーバイアスされ、無用な消費電力につながる。さらに、画素グレーレベルが高く表示されても、ＯＬＥＤ素子は現駆動後の放電電圧にオーバーバイアスされる。これも付加的消費電力につながる。
【０００５】
従って、本発明の目的はディスプレイの駆動方法、特にパッシブマトリックス式有機発光ダイオードディスプレイの駆動方法を提供することにある。
本発明は無駄な消費電力をなくすため、表示される走査線内の画素のプリチャージ電圧及び放電電圧を走査線内の画素の予備グレーレベル及び現グレーレベルにより調整する。
【課題を解決するための手段】
【０００６】
上述及び他の目的を達成するため、本発明は、駆動ディスプレイ、特にパッシブマトリックス式有機発光ダイオードディスプレイの駆動方法を提供する。このディスプレイは複数の走査線を有する。この駆動方法では、まず、表示された走査線内の画素の予備グレーレベル及び現グレーレベルを検出する。
【０００７】
次に、この予備グレーレベル及び現グレーレベルにより、この走査線内の画素の予備放電電圧および放電電圧を調整する。この予備グレーレベルがゼロの場合、無用なＯＬＥＤ素子のオーバーバイアス及び無駄な消費電力を防ぐため、現駆動前のプリチャージを解除するか、またはプリチャージ電圧をゼロに下げる。現グレーレベル及び予備グレーレベルはともに所定の高度より高い場合、無用なＯＬＥＤ素子のアンダーバイアスと無駄な消費電力をするため、放電電圧をＯＬＥＤ素子の閾値電圧よりも低い所定の高度に上げる。
【発明の効果】
【０００８】
本発明において、プリチャージ電圧と放電電圧を表示された走査線内の画素の現グレーレベルと予備グレーレベルとにより適応して調整する。これにより、ＯＬＥＤ素子の不適切なバイアスと不必要な電力消費とを取り除くことができる。
【０００９】
前述の一般説明及び下記の詳細説明は例事的なものであり、本発明をさらに説明することを意図すると理解すべきである。
【発明を実施するための最良の形態】
【００１０】
本発明を図1から図４に示した発明を実施するための最良の形態に沿って詳細に説明する。本発明の実施の形態において、同一又は均等部分については、同一の符号を用いて説明する。
【００１１】
図１は本発明によるＰＭＯＬＥＤパネル図である。図１に示すように、ＰＭＯＬＥＤパネルは行及び列からなるマトリックス状に配置される複数の画素１３０を有する。各画素１３０は有機発光ダイオード（ＯＬＥＤ）素子を有する。このＰＭＯＬＥＤパネルは複数の走査線Ｌ1〜Ｌnを有し、それぞれの走査線は行駆動信号１１０及び列駆動信号１２０により駆動される。行駆動信号１１０は画素の走査線を順次に走査する働きをし、列駆動信号１２０は駆動電流を走査線内の対応するＯＬＥＤ素子に出力する働きをする。本実施の形態では、列駆動信号１２０はこれら電流駆動の持続時間の調整により走査線内の画素のグレーレベルを変更する。例えば、異なるグレーレベルの画素を発生させるため、この電流駆動の持続時間をパルス増幅変調により調整することができる。
【００１２】
図２は本発明の実施の形態による画素の同等模型回路図である。本発明の実施の形態において、各画素１３０は模型化とされ、ダイオード２２０及びキャバシター２１０が並列に配置され、それぞれが列駆動信号１２０及び行駆動信号１１０の間に結合される。ダイオード２２０の両端間の電圧降下は閾値電圧を超えた場合、ダイオード２２０は導通して画素での所要グレーレベルをパルス増幅変調（ＰＭＷ）により列駆動信号１２０を介して生じさせる。
【００１３】
各走査線Ｌ1〜Ｌnは一般的に三つのフェース、即ち放電フェース、予備放電フェース及び電流駆動フェースに分けられる。放電フェースでは、走査線内の画素の放電電圧を走査線内の画素の予備グレーレベル及び現グレーレベルにより調整する。現グレーレベル及び予備グレーレベルはともに所定の高度より高い場合、放電電圧をＰＭＯＬＥＤディスプレイのＯＬＥＤ素子の閾値電圧よりもわずかに低い所定の高度に上げる。これにより、ＯＬＥＤ素子のアンダーバイアスを抑えるので、無駄な消費電力を削減することができる。
【００１４】
プリチャージフェースでは、走査線内の画素の予備グレーレベルがゼロの場合、無用なＯＬＥＤ素子のオーバーバイアス及び無駄な消費電力を防ぐため、現駆動後のプリチャージを解除するか、または、プリチャージ電圧を下げる。電流駆動フェースにおいて、走査線内の画素のグレーレベルをパルス増幅変調により列駆動信号１２０を介して調整する。
【００１５】
図３は本発明の実施の形態による画素の走査線駆動中の放電フェース用の放電回路図である。ＮＭＯＳトランジスターＮ1のドレーンはＮＭＯＳトランジスターＮ1のゲートに接続されている。ＮＭＯＳトランジスターＮ1はそのドレーン及びソースにおいてそれぞれダイオード２２０のアノード及び接地ＧＮＤ間に接続されている。信号ＶＣＯＭは行駆動信号１１０から供給される。走査線内の画素の予備グレーレベルは所定の高度よリ高いとき、放電電圧をＰＭＯＬＥＤディスプレイのＯＬＥＤ素子の閾値電圧よりもわずかに低い所定の高度に上げる。図３に示すように、ダイオード２２０両端の電圧降下がＮＭＯＳトランジスターＮ1の閾値電圧より高い場合、ＮＭＯＳトランジスターＮ1は導通する。本実施例において、ＮＭＯＳトランジスターＮ1の電流はダイオード２２０の両端の電圧降下がその閾値電圧以下に下げられるまで接地ＧＮＤに放電される。
【００１６】
従って、ダイオード２２０両端の電圧降下が放電回路により列駆動信号１２０を受けるようにＮＭＯＳトランジスターＮ1の閾値電圧よりわずかに低い電圧レベルに下げられる。
【００１７】
図４は本発明の実施の形態によるディスプレイ、特にＰＭＯＬＥＤディスプレイを駆動するステップを示すフローチャートである。このディスプレイは複数の走査線を有する。駆動方法は、まず、ステップ４１０において、表示された走査線内の画素の予備グレーレベル及び走査線内の画素の現グレーレベルを検出する。
【００１８】
次に、ステップ４２０において、予備グレーレベルにより、走査線内の画素のプリチャージ電圧を調整する。走査線内の画素の予備グレーレベルがゼロのとき、電流駆動前の予備放電を解除し、または、ＯＬＥＤのオーバーバイアス及び不必要な消費電流を避けるためプリチャージ電圧をゼロに下げる。
【００１９】
さらに、ステップ４２０において、走査線内の画素の放電電圧を現グレーレベル及び予備グレーレベルにより調整する。現グレーレベル及び予備グレーレベルが両方とも所定の高度より高い場合、走査線内の画素の放電電圧を所定の高度に上げる。ここで、所定の高度がＰＭＯＬＥＤディプレイのＯＬＥＤの閾値電圧よりもわずかに低い。換言すれば、所定のグレーレベルがより高ければ、放電電圧をＯＬＥＤのアンダーバイアス及び不必要な消費電流を避けるように、所定の高度に上げる。
【００２０】
要約すれば、本発明の実施の形態は予備グレーレベル及び現グレーレベルにより走査線内の画素の放電電圧及びプリチャージ電圧を調整する。従って、ＯＬＥＤの不必要なアンダーバイアスとオーバーバイアス及びディプレイを駆動するための不必要な消費電量を効果的に削減できる。
【００２１】
以上、本発明のより好ましい実施の形態について説明したが、これは本発明を限定するものではない。本発明の範囲内、発明の精神から逸脱しない限り、当業者により上記の実施の形態の均等変化や若干の変更は可能である。上記の記載を鑑み、ここで本発明の権利範囲、均等変化内にあるものは本発明にカバーされるものであることを主張する。
【００２２】
添付図面は、本発明のさらなる理解を得るために用いられ、本明細書に組み込まれ且つ明細書の一部分を構成する。図面は、本発明の実施例を図解し、記載とともに本発明の原理を説明する役割を果たす。
【図面の簡単な説明】
【００２３】
【図１】本発明によるＰＭＯＬＥＤパネルの図である。
【図２】本発明の実施の形態による画素の同等模型回路図である。
【図３】本発明の実施の形態による画素の走査線駆動中の放電フェースの放電回路図。
【図４】本発明の実施の形態によるディスプレイを駆動するステップを示すフローチャートである。
【符号の説明】
【００２４】
１１０  行駆動信号
１３０  画素
１２０  列駆動信号
Ｌ1〜Ｌn  複数の走査線
２１０  キャバシター
２２０  ダイオード
【図１】
2007279658.tif 000003
【図２】
2007279658.tif 000004
【図３】
2007279658.tif 000005
【図４】
2007279658.tif 000006